(57)【要約】      （修正有）【課題】筒形状のコアに巻き取られたフィルムを容易に取り外すことができるフィルム巻取り具を提供する。【解決手段】フィルム巻取り用の筒形状のコアフレーム１２と、回転軸１８ａ、１８ｂが挿着され、コアフレームの軸方向両端部に係合される、一対のコアチャック１５、１６とを備えるフィルム巻取り具１１であって、コアフレーム１２は、軸方向に沿って分割された部分コアフレーム１３、１４から成り、コアチャック１５、１６は、部分コアフレームの軸方向両端部と係合して部分コアフレームの拡径方向への移動を抑制する傾斜面部２１ｂ、２２ｂ（第１抑制部）と、縮径方向への移動を抑制するテーパ部２５ａ、２６ａ（第２抑制部）とを有し、部分コアフレーム相互の軸方向に沿った端部間を所定間隙に維持する。【選択図】図１
0003193428.tif 000002
【実用新案登録請求の範囲】
【請求項１】
フィルム巻取り用の筒形状のコアフレームと、
中心に巻き取り装置の回転軸が挿着され、前記コアフレームの軸方向の両端部に係合される、一対のコアチャックと、を備えるフィルム巻取り具であって、
前記コアフレームは、前記軸方向に沿って少なくとも２以上に分割された部分コアフレームから成り、
前記コアチャックは、前記コアフレームを前記部分コアフレーム相互の前記軸方向に沿った端部間が所定の間隙を有する状態に維持すべく、前記部分コアフレームの前記軸方向の両端部と係合して前記部分コアフレームの拡径方向への移動を抑制する第１抑制部と、前記部分コアフレームの前記軸方向の両端部と係合して前記部分コアフレームの縮径方向への移動を抑制する第２抑制部とを有するフィルム巻取り具。
【請求項２】
前記部分コアフレームの前記軸方向の両端部は、先端に向けて縮径するコアフレームテーパ部が形成され、前記コアチャックの前記第１抑制部は、前記部分コアフレームの前記コアフレームテーパ部と係合する傾斜面部として形成されると共に、前記第２抑制部は、前記部分コアフレームの前記コアフレームテーパ部の先端と係合する、先端に向けて縮径するコアチャックテーパ部として形成される請求項１に記載のフィルム巻取り具。
【請求項３】
前記コアチャックの前記コアチャックテーパ部の外周は、前記傾斜面部の内周の内側で、該内周と接触又は近接する位置に形成される請求項２に記載のフィルム巻取り具。
【請求項４】
前記部分コアフレームの前記軸方向の両端部は、前記軸方向に沿った切り欠き部が形成され、前記コアチャックは、前記部分コアフレームと前記係合したときに、前記切り欠き部に嵌挿される突状部が装着された請求項１乃至３のいずれかに記載のフィルム巻取り具。
【請求項５】
フィルム巻取り用の円筒形状の金属製のコアフレームと、
中心に巻き取り装置の回転軸が挿着され、前記コアフレームの軸方向の両端部に係合される、一対のコアチャックと、を備えるフィルム巻取り具であって、
前記コアフレームは、前記軸方向に沿って２分割された部分コアフレームから成り、
前記部分コアフレームの前記軸方向の両端部は、先端に向けて縮径するコアフレームテーパ部が形成され、
前記コアチャックは、前記コアフレームを前記部分コアフレーム相互の前記軸方向に沿った端部間が所定の間隙を有する状態に維持すべく、前記部分コアフレームの前記コアフレームテーパ部と係合して前記部分コアフレームの拡径方向への移動を抑制する第１抑制部である傾斜面部と、前記部分コアフレームの前記コアフレームテーパ部の先端と係合して前記部分コアフレームの縮径方向への移動を抑制する第２抑制部である、先端に向けて縮径するコアチャックテーパ部とを有し、
前記コアチャックテーパ部の外周は、前記傾斜面部の内周の内側で、該内周と接触又は近接する位置に形成され、
前記部分コアフレームの前記軸方向の両端部には、前記軸方向に沿った切り欠き部が形成され、前記コアチャックには、前記部分コアフレームと前記係合したときに、前記切り欠き部に嵌挿される突状部が装着されたフィルム巻取り具。
【考案の詳細な説明】
【技術分野】
【０００１】
本考案は、筒状のコアフレームに巻回したフィルムの取り外しを容易にする構造のフィルム巻取り具に関する。
【背景技術】
【０００２】
プラスチックフィルムにバリア層等をラミネートするレトルトパウチ等の袋状容器の製造においては、例えば製造開始の際に供給されるプラスチックフィルムが安定した品質となるまでライン調整が行われ、所定の品質を具備しないプラスチックフィルム（以下、「アウトフィルム」という）は製造ラインから除外され、廃棄される。このアウトフィルムついては、通常の生産工程で使用する円筒状の巻取りコアに巻き取った後に、カッターナイフによる切断により巻き取りコアから取り外し、廃棄処分としている。
【０００３】
このように、巻き取りコアに巻回されたアウトフィルムを廃棄するには、人手によるカッターナイフを使用した切断という手間のかかる作業を必要としており、製造ラインの作業効率の低下を招いている。このようなアウトフィルムの廃棄の作業性の向上を図るべく、巻取りコアに巻き取られたフィルムの取り外しを容易にするフィルム巻取り器等が提案されている（特許文献１、２参照）。
【０００４】
特許文献１に記載のフィルム巻取り器は、弾性を有する円筒形状の芯体に、両端からテーパ面を有する拡径部材を挿着して、拡径された芯体にフィルムを巻回するもので、拡径部材の離脱により縮径させた芯体からフィルムを取り外すことができるものである。また、特許文献２に記載の保護フィルム巻取り用巻芯体は、複数個の断面円弧状の芯部材をゴムバンドで結束して外径を可変とした円筒状の芯体を形成し、両端からテーパ面を有する固定具を挿着したもので、フィルムの巻回後に固定具の離脱により縮径させた芯体からフィルムの取り外しを可能とするものである。
【先行技術文献】
【特許文献】
【０００５】
【特許文献１】特開平１１−１７１３７５号公報
【特許文献２】特開平６−１５６８８２号公報
【考案の概要】
【考案が解決しようとする課題】
【０００６】
上記したように、特許文献１、２に記載のフィルム巻取り器等によれば、芯体の材質や結束ゴムバンドの弾性を利用し芯体の径伸縮により、芯体に巻回されたフィルムの取り外しを容易にするものであるが、拡径部材の挿着、結束ゴムバンドの装着等による芯体の径伸縮の作業に手間を要するため、巻回したフィルムの取り外しが容易でない場合がある。
【０００７】
本考案は、このような事情に鑑みてなされたものであり、筒形状のコアに巻き取られたフィルムを容易に取り外しできるフィルム巻取り具を提供するものである。
【課題を解決するための手段】
【０００８】
上記課題を解決するために、本考案に係るフィルム巻取り具は、フィルム巻取り用の筒形状のコアフレームと、中心に巻き取り装置の回転軸が挿着され、前記コアフレームの軸方向の両端部に係合される、一対のコアチャックと、を備えるフィルム巻取り具であって、前記コアフレームは、前記軸方向に沿って少なくとも２以上に分割された部分コアフレームから成り、前記コアチャックは、前記コアフレームを前記部分コアフレーム相互の前記軸方向に沿った端部間が所定の間隙を有する状態に維持すべく、前記部分コアフレームの前記軸方向の両端部と係合して前記部分コアフレームの拡径方向への移動を抑制する第１抑制部と、前記部分コアフレームの前記軸方向の両端部と係合して前記部分コアフレームの縮径方向への移動を抑制する第２抑制部とを有する構成である。
【０００９】
このような構成によれば、前記コアフレームを前記部分コアフレーム相互の前記軸方向に沿った端部間が所定の間隙を有する状態に維持すべく、コアチャックが、前記部分コアフレームの前記軸方向の両端部と係合して前記部分コアフレームの拡径方向への移動を抑制する第１抑制部と、前記部分コアフレームの前記軸方向の両端部と係合して前記部分コアフレームの縮径方向への移動を抑制する第２抑制部とを有するので、コアチャックを係合させているときはコアフレームを部分コアフレーム同士の端部間が所定の間隙を有する状態に維持できるのでフィルムを均一に巻き取ることができ、さらにコアチャックをコアフレームとの係合を解除して取り外したときは、第２抑制部による抑制が解除されるので、部分コアフレームを容易に引き抜くことができ、コアフレームに巻回されたフィルムを容易に取り出すことができる。
【００１０】
なお、前記部分コアフレーム相互の前記軸方向に沿った端部間の所定の間隙は、すべての部分コアフレーム相互間に設けてもよいが、部分コアフレーム相互間の少なくとも何れか一方に設けてもよい。例えば、コアフレームを２分割した場合に、２箇所の部分コアフレーム相互間に所定の間隙を設けてもよいが、１箇所の部分コアフレーム相互間に所定の間隙を設けてもよい。なお、２箇所の部分コアフレーム相互間に所定の間隙を設けることが好ましい。
【００１１】
本考案に係るフィルム巻取り具において、前記部分コアフレームの前記軸方向の両端部は、先端に向けて縮径するコアフレームテーパ部が形成され、前記コアチャックの前記第１抑制部は、前記部分コアフレームの前記コアフレームテーパ部と係合する傾斜面部として形成されると共に、前記第２抑制部は、前記部分コアフレームの前記コアフレームテーパ部の先端と係合する、先端に向けて縮径するコアチャックテーパ部として形成される構成とすることができる。
【００１２】
このような構成によれば、フィルム巻取り具の組み立ての際には、傾斜面部の第１抑制部及びコアチャックテーパ部の第２抑制部がガイド部として、コアチャックとコアフレームとの係合を容易にし、さらにフィルムの巻回後はコアチャックをコアフレームとの係合を解除して容易に取り外すことができるので、部分コアフレームを引き抜くと巻回されていたフィルムの取り出しが容易となり、作業性が向上する。
【００１３】
本考案に係るフィルム巻取り具において、前記コアチャックの前記コアチャックテーパ部の外周は、前記傾斜面部の内周の内側で、該内周と接触又は近接する位置に形成される構成とすることができる。
【００１４】
このような構成によれば、部分コアフレームは、コアチャックとの係合により拡径方向及び縮径方向への移動を確実に抑制され、部分コアフレーム相互の前記軸方向に沿った端部間が所定の間隙を有する状態に維持される。
【００１５】
本考案に係るフィルム巻取り具において、前記部分コアフレームの前記軸方向の両端部は、前記軸方向に沿った切り欠き部が形成され、前記コアチャックは、前記部分コアフレームと前記係合したときに、前記切り欠き部に嵌挿される突状部が装着された構成とすることができる。
【００１６】
このような構成によれば、部分コアフレームに形成された切り欠き部に嵌挿する突状部がコアチャックに装着されるので、部分コアフレーム及びコアフレームは、巻取り装置の回転軸が挿着されて回転するコアチャックと共に回転し、フィルムの巻き取りを確実に行うことができる。
【００１７】
さらに、本考案に係るフィルム巻取り具は、フィルム巻取り用の円筒形状の金属製のコアフレームと、中心に巻き取り装置の回転軸が挿着され、前記コアフレームの軸方向の両端部に係合される、一対のコアチャックと、を備えるフィルム巻取り具であって、前記コアフレームは、前記軸方向に沿って２分割された部分コアフレームから成り、前記部分コアフレームの前記軸方向の両端部は、先端に向けて縮径するコアフレームテーパ部が形成され、前記コアチャックは、前記コアフレームを前記部分コアフレーム相互の前記軸方向に沿った端部間が所定の間隙を有する状態に維持すべく、前記部分コアフレームの前記コアフレームテーパ部と係合して前記部分コアフレームの拡径方向への移動を抑制する第１抑制部である傾斜面部と、前記部分コアフレームの前記コアフレームテーパ部の先端と係合して前記部分コアフレームの縮径方向への移動を抑制する第２抑制部である、先端に向けて縮径するコアチャックテーパ部とを有し、前記コアチャックテーパ部の外周は、前記傾斜面部の内周の内側で、該内周と接触又は近接する位置に形成され、前記部分コアフレームの前記軸方向の両端部には、前記軸方向に沿った切り欠き部が形成され、前記コアチャックには、前記部分コアフレームと前記係合したときに、前記切り欠き部に嵌挿される突状部が装着された構成である。
【考案の効果】
【００１８】
本考案によれば、コアフレームを部分コアフレーム相互の軸方向に沿った端部間が所定の間隙を有する状態に維持すべく、コアチャックが、部分コアフレームの軸方向の両端部と係合して部分コアフレームの拡径方向への移動を抑制する第１抑制部と、部分コアフレームの前記軸方向の両端部と係合して部分コアフレームの縮径方向への移動を抑制する第２抑制部とを有するので、コアチャックを係合させているときはコアフレームを部分コアフレーム同士の端部間が所定の間隙を有する状態に維持できるので、フィルムの巻き取りを均一にでき、フィルムの巻き取り後は、コアチャックをコアフレームから容易に係合を解除して取り外しできるので、第２抑制部による抑制が解除され、部分コアフレームを引き抜けば、巻き取ったフィルムの回収が容易となる。
【図面の簡単な説明】
【００１９】
【図１】図１は、本考案の実施の形態に係るフィルム巻取り具の正面図（一部破断面を含む）である。
【図２】図２は、本考案の実施の形態に係るフィルム巻取り具の部分分解図である。
【図３Ａ】図３Ａは、本考案の実施の形態に係るフィルム巻取り具のコアフレームの斜視図である。
【図３Ｂ】図３Ｂは、本考案の実施の形態に係るフィルム巻取り具の部分コアフレームの正面図である。
【考案を実施するための形態】
【００２０】
以下、添付図面を参照して本考案の好ましい実施形態を説明する。
【００２１】
本考案の実施の形態に係るフィルム巻取り具が、図１に示すように構成される。
【００２２】
図１に示すように、フィルム巻取り具１１は、円筒形状の金属製（例えば、アルミニウム製）のコアフレーム１２と、コアフレーム１２の軸方向の両端部に係合される、一対の金属製のコアチャック１５、１６とを備えて成る。コアフレーム１２は、後述するように断面円周上の対向する２カ所の所定部分を軸方向に切り欠いて分割した部分コアフレーム１３、１４から成る。コアフレーム１２は、部分コアフレーム１３、１４の軸方向の両端部を一対のコアチャック１５、１６との係合により、この切り欠き部分を所定の間隙とした円筒形状を成している（図３Ａ参照）。
コアチャック１５、１６は円盤形状の部材と円錐台形状の部材とが結合した側面がテーパ面を有するテーパ形状部材であり、円錐台形状を含むテーパ形状部材の一方の側がコアフレーム１２（部分コアフレーム１３、１４）と係合する部分であり、他方の側である円形の面（円盤形状の部材側）の中心には巻取り装置（図示せず）の回転軸１８ａ、１８ｂ（鎖線で示す）が挿着され、回転軸１８ａ、１８ｂの回転を伝達するために固定具１９ａ、１９ｂ（鎖線で示す）によりネジ止めされている。部分コアフレーム１３、１４の軸方向の両端部には、軸方向に切り欠いて成る切り欠き部１３ａ、１３ｂ、１４ａ、１４ｂが形成されており（図３参照）、部分コアフレーム１３、１４がコアチャック１５、１６と係合する際に、コアチャック１５、１６の周上に装着された板片形状の突状部１５ａ、１５ｂ、１６ａ、１６ｂが、切り欠き部１３ａ、１４ａ、１３ｂ、１４ｂに嵌挿され、コアチャック１５、１６の回転がコアフレーム１２（部分コアフレーム１３、１４）に伝達される。
【００２３】
図３Ａ、図３Ｂに示すように、コアフレーム１２は、円筒形状の側面の対向する位置（円周上の対向する位置）にある２箇所の部分を軸方向に沿って一端から他端まで切り欠いて形成された２つの部分コアフレーム１３、１４から成る。また、上述したように、コアフレーム１２を構成する部分コアフレーム１３、１４の軸方向の両端中央には、切り欠き部１３ａ、１３ｂ、１４ａ、１４ｂが形成されている。さらに、部分コアフレーム１３，１４の軸方向の両端部には、外周から内周の先端に向けて縮径するコアフレームテーパ部１３ｃ、１３ｄ、１４ｃ、１４ｄが形成されており（図３Ｂ参照）、このコアフレームテーパ部１３ｃ、１４ｃ、１３ｄ、１４ｄが後述するようにコアチャック１５、１６と係合する。
【００２４】
次に、コアチャック１５、１６の構造について図１、図２を参照して説明する。なお、図２はコアチャック１５を示すが、コアチャック１５、１６は同一構造のものである。図２に示すように、コアチャック１５（１６）は、円盤形状の外側コアチャック２１（２２）と、中心側に縮径する円錐台形状の内側コアチャック２５（２６）とを複数個のボルトネジ２７により固着され、一体に形成されたものである。外側コアチャック２１（２２）には複数個のボルトネジ用の貫通孔２１ａ（２２ａ）が形成され、内側コアチャック２５（２６）の内部には、ボルトネジ用のナット（図示せず）が挿着されており、貫通孔２１ａ（２２ａ）を挿通したボルトネジ２７を上記ナットにより螺着し、外側コアチャック２１（２２）と内側コアチャック２５（２６）とが固着されて、コアチャック１５（１６）を形成している。コアチャック１５（１６）は、上記したように、外側コアチャック２１（２２）と内側コアチャック２５（２６）とがボルトネジ２７により固着された後は、修理、メンテナンス等の場合以外は分離することなく、フィルムの巻き取り、フィルムの離脱の際は常時一体として使用される。
【００２５】
図２に示すように、外側コアチャック２１（２２）には、その円盤形状の外周内側に外周先端に向けて拡径する傾斜面部２１ｂ（２２ｂ）（第１抑制部）が円環状に形成されており、コアチャック１５（１６）と部分コアフレーム１３、１４とが係合するときに、傾斜面部２１ｂ（２２ｂ）が部分コアフレーム１３、１４のコアフレームテーパ部１３ｃ、１３ｄ、１４ｃ、１４ｄと当接により係合する。傾斜面部２１ｂ（２２ｂ）の傾斜角度は、傾斜面部２１ｂ（２２ｂ）の全体が部分コアフレーム１３、１４のコアフレームテーパ部１３ｃ、１３ｄ、１４ｃ、１４ｄと当接するように所定角度に形成される。
【００２６】
図２に示すように、内側コアチャック２５（２６）には、外周部分に外周先端から内側に向けて縮径する円環状のコアチャックテーパ部２５ａ（２６ａ）（第２抑制部）が形成されており、外側コアチャック２１（２２）と固着されて一体となったときに、コアチャックテーパ部２５ａ（２６ａ）の外周の先端が、外側コアチャック２１（２２）の傾斜面部２１ｂ（２２ｂ）の内周の内側で、該内周と近接する位置となる。さらに、内側コアチャック２５（２６）のコアチャックテーパ部２５ａ（２６ａ）には、板片状の突状部１５ａ、１５ｂ（１６ａ、１６ｂ）がコアチャック１５（１６）の中心軸に関して対称となる位置にそれぞれ設けられており、コアチャック１５（１６）が部分コアフレーム１３（１４）と係合する際に、突状部１５ａ、１５ｂ（１６ａ、１６ｂ）が切り欠き部１３ａ、１４ａ（１３ｂ、１４ｂ）に嵌挿される。
【００２７】
次に、本実施形態に係るフィルム巻取り具１１の動作について説明する。外側コアチャック２１、２２と内側コアチャック２５、２６とがボルトネジ２７による固着により形成されたコアチャック１５、１６の中心部に、ワインダと呼ばれる巻取り装置（図示せず）の回転軸１８ａ、１８ｂをそれぞれ挿入し、固定具１９ａ、１９ｂにより螺着する。このとき、部分コアフレーム１３、１４がコアチャック１５、１６と係合できるように、コアチャック１５とコアチャック１６との間を所定の間隔に設定する。具体的には、後述するように、部分コアフレーム１３、１４がコアチャック１５、１６の内側コアチャック２５、２６のコアチャックテーパ部２５ａ、２６ａに載置可能な間隔となる距離に設定する。上記した巻取り装置の回転軸１８ａ、１８ｂのうち少なくとも一方は、軸方向への移動が可能であり、コアチャック１５、１６相互間の所定間隔の調整が容易に行える機構となっている。
【００２８】
上記したように、コアチャック１５、１６相互間の間隔を部分コアフレーム１３、１４がコアチャックテーパ部２５ａ、２６ａ間に載置可能な距離となるように設定した後に、部分コアフレーム１３の両端部をコアチャック１５、１６の内側コアチャック２５、２６のコアチャックテーパ部２５ａ、２６ａの上面側に載置し、コアチャック１５、１６の突状部１５ａ、１６ａを、部分コアフレーム１３の切り欠き部１３ａ、１３ｂに嵌挿する。
【００２９】
次に、部分コアフレーム１３、１４の軸方向に沿った端部間が所定の間隙を有する状態となるように、部分コアフレーム１３と上下方向に対向する位置に部分コアフレーム１４の一方の端部を一方のコアチャック１５の外側コアチャック２１の傾斜面部２１ｂに載置して、部分コアフレーム１４の長手方向（軸方向）が水平となるように、部分コアフレーム１４の他方の端部を手で支える。このとき、コアチャック１５、１６の突状部１５ｂ、１６ｂを、部分コアフレーム１４の切り欠き部１４ａ、１４ｂに嵌挿する。
【００３０】
次に、回転軸１８ａ（又は１８ｂ）を軸方向に間隔を狭めるように移動させ（図１の矢印３１の示す方向）、部分コアフレーム１３、１４のコアフレームテーパ部１３ｃ、１４ｃ、１３ｄ、１４ｄとコアチャック１５、１６の傾斜面部２１ｂ、２２ｂと当接させ、部分フレーム１３、１４とコアチャック１５、１６とが係合する位置に設定する。このとき、コアチャック１５とコアチャック１６による係合によって、部分コアフレーム１３、１４は、長手方向（軸方向）に沿った端部間が所定の間隙を設けた、円筒形状のコアフレーム１２を形成して、フィルム巻取り具１１が組み立てられる。
【００３１】
上記したように、フィルム巻取り部１１の組み立てにおいて、コアチャック１５、１６にコアチャックテーパ部２５ａ、２６ａと、傾斜面部２１ｂ、２２ｂと、が形成されているので、回転軸１８ａ、１８ｂにネジ止めされたコアチャック１５、１６をその間を狭めるように移動させて、部分コアフレーム１３、１４を所定位置で係合させるときに、コアチャックテーパ部２５ａ、２６ａ及び傾斜面部２１ｂ、２２ｂが、部分コアフレーム１３、１４の案内部（ガイド）としての役割を有するので、フィルム巻取り具１１を容易に組み立てられる。
【００３２】
組み立てられたフィルム巻取り具１１によるアウトフィルムの巻き取りは、巻取り装置（図示せず）の回転軸１８ａ、１８ｂの回転により、回転軸１８ａ、１８ｂをネジ止めされたコアチャック１５、１６が回転し、さらにコアチャック１５、１６に装着された突状部１５ａ、１５ｂ、１６ａ、１６ｂが嵌挿される切り欠き部１３ａ、１４ａ、１３ｂ、１４ｂを介して部分コアフレーム１３、１４が回転する。このとき、部分コアフレーム１３、１４は、拡径方向への移動がコアチャック１５、１６の傾斜面部２１ｂ、２２ｂ（第１抑制部）にコアフレームテーパ部１３ｃ、１３ｄ、１４ｃ、１４ｄが係合することで抑制され、縮径方向（中心方向）への移動がコアフレームテーパ部１３ｃ、１３ｄ、１４ｃ、１４ｄの先端がコアチャック１５、１６のコアチャックテーパ部２５ａ、２６ａ（第２抑制部）への係合により抑制される。これにより、コアフレーム１２は、部分コアフレーム１３、１４が軸方向に沿った端部間において所定の間隙を有する円筒形状として維持される。
【００３３】
部分コアフレーム１３、１４の回転に伴い、ライン調整により送り出されたアウトフィルムが部分コアフレーム１３、１４から成るコアフレーム１２に巻回されて、所定量のアウトフィルムがフィルム巻取り具１１に巻き取られる。このとき、部分コアフレーム１３、１４は、アウトフィルムの巻回による巻圧が生じるが、部分コアフレーム１３、１４の縮径方向への移動は、上記したようにコアフレームテーパ部１３ｃ、１４ｃ、１３ｄ、１４ｄの先端がコアチャック１５、１６のコアチャックテーパ部２５ａ、２６ａ（第２抑制部）への係合により抑制される。
【００３４】
次に、フィルム巻取り具１１に巻き取られたアウトフィルムをコアフレーム１２から取り外す手順を説明する。図１に示すように、回転が停止した回転軸１８ａ、１８ｂのうちの一方の回転軸１８ａをコアチャック１５がコアフレーム１２との係合を解除する方向（図１の矢印３２の示す方向）に移動させると、コアチャック１５はコアフレーム１２との係合が容易に解除できる。これは、巻回されたアウトフィルムにより巻圧が作用する部分である部分コアフレーム１３、１４の先端（コアフレームテーパ部１３ｃ、１３ｄ、１４ｃ、１４ｄの先端）と、コアチャック１５、１６のコアチャックテーパ部２５ａ、２６ａ（第２抑制部）とが、いわゆる周方向の線接触の状態であることから、接触部分の面積が狭小となるので、コアチャック１５とコアフレーム１２とが摺動して係合を容易に解除できることになる。
【００３５】
コアチャック１５が部分コアフレーム１３、１４との係合を解除して取り外されると、軸方向に沿った端部間で所定の間隙を設けた部分コアフレーム１３、１４は、コアチャック１５のコアチャックテーパ部２５ａによる縮径方向への移動抑制が解除され、巻回されたアウトフィルムから離脱して容易に引き抜きことができる。部分コアフレーム１３、１４が引き抜かれると、単独となったアウトフィルムを容易に廃棄することができる。
【００３６】
このように、本考案の実施形態に係るフィルム巻取り具１１によれば、コアフレーム１２を軸方向に沿って２分割した部分コアフレーム１３、１４を軸方向に沿った端部間に所定の間隙を設けた状態でアウトフィルムを巻取るので、部分コアフレーム１３、１４と係合するコアチャック１５、１６の係合を解除すると、アウトフィルムが巻回された部分コアフレーム１３、１４を容易に離脱させて引き抜くことができるので、アウトフィルムの廃棄の作業性が向上する。また、部分コアフレーム１３、１４と係合するコアチャック１５、１６には、部分コアフレーム１３、１４の拡径方向への移動を抑制する傾斜面部２１ｂ、２２ｂ（第１抑制部）と、部分コアフレーム１３、１４の縮径方向への移動を抑制するコアチャックテーパ部２５ａ、２６ａ（第２抑制部）を設けたので、コアチャック１５，１６を部分コアフレーム１３、１４の軸方向の両端部に係合させることで、コアフレームを軸方向に沿って２分割した、所定の間隙を設けた状態に容易に維持することができる。
【００３７】
さらに、部分コアフレーム１３、１４の軸方向の両端部の先端（コアフレームテーパ部１３ｃ、１３ｄ、１４ｃ、１４ｄの先端）とコアチャック１５、１６のコアチャックテーパ部２５ａ、２６ａとは、周方向において線接触の状態であるから、アウトフィルムの巻回による巻圧が部分コアフレーム１３、１４に作用しているときでも、コアチャック１５、１６を摺動させて部分コアフレーム１３、１４から容易に係合を解除することができ、部分コアフレーム１３、１４を引き抜いて、アウトフィルムを容易に廃棄することができる。
【００３８】
本考案の実施形態に係るフィルム巻取り具１１のコアフレーム１２は、通常の生産工程で使用する巻取り用のコアフレーム（「生産用コアフレーム」という）を、軸方向に所定部分（２箇所）を切り取って２分割したものである。したがって、フィルム巻取り具１１のコアフレーム１２は、部分コアフレーム１３、１４間に所定の間隙を有するものの、上記した生産用コアフレームと同一径である。したがって、フィルム巻取り具１１において、コアフレーム１２に代えて、分割されていない状態の円筒形状である、生産用コアフレームを使用することで（コアチャック１５、１６により両端を係合）、生産用に使用する所定品質を具備する生産用フィルムの巻き取りに使用することができる。
【００３９】
上記したように、本考案の実施形態に係るフィルム巻取り具１１は、生産用の所定品質を具備しないアウトフィルムの巻き取りに使用しているが、これに限定することなく、巻き取ったフィルムをコアフレーム１２から取り外しが必要なものであればよく、例えば生産工程のラインで不要となった保護フィルム等の巻き取り用に使用することで、不要となった保護フィルムの回収が容易となり、作業性の向上を図ることができる。
【産業上の利用可能性】
【００４０】
以上、説明したように、本考案に係るフィルム巻取り具は、コアチャックを係合させることでコアフレームを部分コアフレーム同士の間が所定の間隙を有する状態に維持できフィルム巻取り後にはコアチャックを部分コアフレームから容易に係合を解除して取り外しできるので、フィルムが巻回された部分コアフレームの引き抜きが可能となり、巻き取ったフィルムの単独の回収が容易となるという効果を奏し、筒状のコアフレームに巻回したフィルムの取り外しが容易なフィルム巻取り具として有用である。
【符号の説明】
【００４１】
１１            フィルム巻取り具
１２            コアフレーム
１３、１４      部分コアフレーム
１３ａ、１３ｂ  切り欠き部
１３ｃ、１３ｄ  コアフレームテーパ部
１４ａ、１４ｂ  切り欠き部
１４ｃ、１４ｄ  コアフレームテーパ部
１５、１６      コアチャック
１５ａ、１５ｂ  突状部
１６ａ、１６ｂ  突状部
１８ａ、１８ｂ  回転軸
１９ａ、１９ｂ  固定具
２１、２２      外側コアチャック
２１ｂ、２２ｂ  傾斜面部
２５、２６      内側コアチャック
２５ａ、２６ａ  コアチャックテーパ部
２７            ボルトネジ
３１、３２      矢印
【図１】
0003193428.tif 000003
【図２】
0003193428.tif 000004
【図３Ａ】
0003193428.tif 000005
【図３Ｂ】
0003193428.tif 000006